(57)【特許請求の範囲】
【請求項１】
筐体と、この筐体の前面に配設されたノーズ部材と、このノーズ部材に開設された挿入口を開閉する回動可能なドア部材と、このドア部材を閉塞する方向へ付勢する弾性部材とを備え、記録媒体を収納したマガジンを前記挿入口から前記筐体内に挿入することにより、前記記録媒体に対して情報の再生および／または記録が行われる記録媒体駆動装置において、
前記筐体に前記ドア部材との当接を回避する切欠きを形成すると共に、この切欠きの後方を固定端として前記筐体に片持ち梁状に支持した板ばねの自由端側を前記切欠き内に露出させ、この板ばねに、前記筐体に収納したマガジンに向けて凸状に湾曲する押圧部と、該押圧部の先端から前記ノーズ部材の背面に向かって延びる延出部とを形成し、前記押圧部を前記切欠き内に露出する前記マガジンの外面に弾接させると共に、前記延出部を開放状態にある前記ドア部材の背面に平面的にオーバーラップさせて該ドア部材の自由端が前記延出部と前記マガジンとの間に位置するように構成したことを特徴とする記録媒体駆動装置。
【請求項２】
請求項１の記載において、前記板ばねの延出部が開放状態にある前記ドア部材の背面と弾接するように構成したことを特徴とする記録媒体駆動装置。
【請求項３】
請求項２の記載において、前記板ばねの延出部に前記ドア部材の背面に弾接する押圧凸部を形成し、この押圧凸部の突出量を前記押圧部の突出量よりも小さく設定したことを特徴とする記録媒体駆動装置。
【発明の詳細な説明】
【０００１】
【発明の属する技術分野】
本発明は、ＣＤやＤＶＤ等の複数枚のディスク（記録媒体）を収納したマガジン、あるいはハードディスク（記録媒体）とその駆動装置を収納したマガジンを挿入口から筐体内に挿入し、この状態で記録媒体に対して情報の再生および／または記録を行う記録媒体駆動装置に係り、特に、車載用として好適な記録媒体駆動装置に関する。
【０００２】
【従来の技術】
この種の記録媒体駆動装置の一例として、マガジンに収納された複数枚のディスクを選択的に引き出して情報の再生および／または記録を行うディスクチェンジャが知られており、図５および図６はこのような車載用ディスクチェンジャの従来例を示す要部断面図である。
【０００３】
図５に示す従来のディスクチェンジャは、金属板からなる箱形形状の筐体１と、この筐体１の前面に配設されたノーズ部材２と、このノーズ部材２に開設された挿入口２ａを開閉するドア部材３とを備えており、マガジン４が挿入口２ａに対して挿入／排出されるように構成されている。図示省略されているが、マガジン４内には複数のトレイが引き出し自在に設けられており、個々のトレイ上にディスクが載置されるようになっている。筐体１の内部には図示せぬ駆動ユニットが収容されており、この筐体１の天板１ｃ前方に切欠き１ａが形成されている。また、筐体１の天板１ｃに板ばね５がかしめピン６等によって固定されており、この板ばね５の自由端側に形成された押圧部５ａは切欠き１ａ内に延出している。この押圧部５ａは下方に向けて凸状に湾曲しており、押圧部５ａの下端は筐体１の天板１ｃより下方へ突出している。ドア部材３の上端はノーズ部材２の背面に回動可能に支承されており、このドア部材３は図示せぬトーションバネによって挿入口２ａを閉塞する方向へ弾性付勢されている。
【０００４】
このように概略構成されたディスクチェンジャでは、図５に示すマガジン４の未装填状態において、挿入口２ａはドア部材３によって閉塞されている。この状態でマガジン４を挿入口２ａの内部に挿入すると、マガジン４がドア部材３を押圧することにより、ドア部材３は約９０度回転して筐体１の切欠き１ａ内に収納される。そして、マガジン４を筐体１内の所定位置まで挿入すると、図示せぬ駆動ユニットが上下方向へ移動してマガジン４内のいずれかのトレイを引き出し、このトレイ上に載置されたディスクに対して光ピックアップにより情報の再生および／または記録が行われる。また、かかるマガジン４の装填状態において、マガジン４の天板は板ばね５の押圧部５ａからの弾発力を受けて下方へ押圧付勢されており、これによって音飛びやラットルノイズの原因となるマガジン４の振動が抑制されている。
【０００５】
【発明が解決しようとする課題】
前述した従来のディスクチェンジャにおいては、板ばね５の自由端側に形成した押圧部５ａがマガジン４の挿入方向に対峙しているため、図６に示すように、挿入口２ａに対してマガジン４が斜め下方から挿入された場合、マガジン４の天板が板ばね５の自由端部に引掛かり、さらにマガジン４が押し込まれると板ばね５を破損させる恐れがある。特に、装置全体の小型化に伴いノーズ部材２を薄型化すると、挿入口２ａの奥行寸法（マガジン４の挿入をガイドする面の寸法）が小さくなり、マガジン４を傾斜した姿勢で容易に挿入することができるため、板ばね５の破損という問題は顕著なものとなる。
【０００６】
図７はこのような問題を解消するために提案されたディスクチェンジャの要部断面図であり、このディスクチェンジャが図５，図６のものと相違する点は、板ばね５の押圧部５ａが固定端を中心として１８０度反転したレイアウトになっていることにあり、それ以外の構成は基本的に同じである。すなわち、この従来提案に係るディスクチェンジャでは、板ばね５の自由端側をマガジン４の挿入方向に向けて延出させ、その押圧部５ａを筐体１の天面１ｃに形成した透孔１ｂから下方へ突出させているため、マガジン４の挿入方向先端部が板ばね５の自由端部に引掛かることがなく、板ばね５がマガジン４の挿入によって破損することを防止できる。しかしながら、マガジン４に収納されるディスクの枚数は近年増加する傾向にあり、それに伴ってマガジン４の厚み寸法が大きくなるのと同時に、挿入口２ａを開閉するドア部材３も大型化してきているため、このように大型化されたドア部材３を収納する切欠き１ａの後方位置に板ばね５が配設されていると、マガジン４の中心（重心）付近に対して板ばね５の押圧部５ａが奥側にオフセットした状態となる。その結果、マガジン４の中心（重心）を押圧付勢することができず、外部から上下方向の加速度が作用した時に、マガジン４にピッチングと称せられる横軸周りの揺動運動が発生し、音飛びやラットルノイズの抑制作用が著しく低下するという新たな問題を招来することになる。
【０００７】
本発明は、このような従来技術の実情に鑑みてなされたもので、その目的は、マガジンの振動を板ばねによって確実に抑制できると共に、この板ばねの破損を防止することができる記録媒体駆動装置を提供することにある。
【０００８】
【課題を解決するための手段】
本発明は、筐体に開放時のドア部材を収納する切欠きを形成すると共に、この切欠き内にマガジンの外面と弾接可能な押圧部を有する板ばねを露出させ、この板ばねの自由端に形成した延出部を開放時のドア部材の背面と平面的にオーバーラップさせることとする。このように構成すると、マガジンの挿入に伴ってドア部材が開放された際に、筐体の切欠き内でドア部材の背面に板ばねの延出部が覆い被さるような位置関係となるため、マガジンが斜め下方から筐体内に挿入されたとしても、マガジンは板ばねの延出部に当接することなく所定位置まで挿入され、所定位置で板ばねの押圧部からの弾発力を受けて振動が抑制される。
【０００９】
【発明の実施の形態】
本発明は、筐体と、この筐体の前面に配設されたノーズ部材と、このノーズ部材に開設された挿入口を開閉する回動可能なドア部材と、このドア部材を閉塞する方向へ付勢する弾性部材とを備え、記録媒体を収納したマガジンを前記挿入口から前記筐体内に挿入することにより、前記記録媒体に対して情報の再生および／または記録が行われる記録媒体駆動装置において、前記筐体に前記ドア部材との当接を回避する切欠きを形成すると共に、この切欠きの後方を固定端として前記筐体に片持ち梁状に支持した板ばねの自由端側を前記切欠き内に露出させ、この板ばねに、前記筐体に収納したマガジンに向けて凸状に湾曲する押圧部と、該押圧部の先端から前記ノーズ部材の背面に向かって延びる延出部とを形成し、前記押圧部を前記切欠き内に露出する前記マガジンの外面に弾接させると共に、前記延出部を開放状態にある前記ドア部材の背面に平面的にオーバーラップさせて該ドア部材の自由端が前記延出部と前記マガジンとの間に位置するように構成した。
【００１０】
このように構成された記録媒体駆動装置においては、マガジンを挿入口から筐体内に挿入する過程で、マガジンが閉塞状態にあるドア部材を弾性部材の付勢力に抗して押圧すると、ドア部材が回動しながら筐体の切欠き内に収納されて開放状態となる。そして、この切欠き内でドア部材の背面に板ばねの延出部が覆い被さるような位置関係となり、筐体内の所定位置まで挿入されたマガジンの外面に板ばねの押圧部が弾接するため、板ばねの押圧部がマガジンの外面に弾接した状態で延出部とマガジン外面との間に隙間が形成され、この隙間にドア部材の自由端が収納されることになる。したがって、マガジンを中心近傍で押圧付勢して音飛びやラットルノイズの原因となるピッチングモーメントの発生を抑制できると共に、マガジンが斜め下方から筐体内に挿入されたとしても、板ばねがマガジンによって破損されることを確実に防止することができる。
【００１１】
上記の構成において、板ばねの延出部とドア部材の背面とのオーバーラップは非接触でもよいが、板ばねの延出部をドア部材の背面に弾接状態でオーバーラップさせることが好ましく、このようにするとドア部材のラットルノイズも確実に抑制することができる。すなわち、ドア部材はマガジンの挿入によって開放されるもので、ドア部材を閉塞方向へ付勢する弾性力を大きくした場合にドア部材を開放させるための負荷が大きくなることから、前記弾性力をあまり大きくできないという設計上の制約があるが、上記のように板ばねの延出部をドア部材の背面に弾接させると、開放時のドア部材を自身の弾性力と板ばねの延出部とによってマガジンの外面に押圧付勢することができる。したがって、外部から作用する上下方向の加速度によってドア部材が振動することを防止でき、特にドア部材が大型化された場合に懸念されるラットルノイズを確実に抑制することができる。
【００１２】
また、上記の構成において、板ばねの延出部にドア部材の背面に弾接する押圧凸部を形成し、この押圧凸部の突出量を押圧部の突出量よりも小さく設定することが好ましく、このようにするとマガジンとドア部材の両方の振動を効果的に抑制することができる。
【００１３】
【実施例】
実施例について図面を参照して説明すると、図１は本発明の第１実施例に係るディスクチェンジャの斜視図、図２は該ディスクチェンジャの要部断面図であり、図２（Ａ）はマガジンの未装填状態を示し、図２（Ｂ）はマガジンの装填状態を示している。
【００１４】
本実施例に係るディスクチェンジャは、金属板からなる箱形形状の筐体１と、この筐体１の前面に配設されたノーズ部材２と、このノーズ部材２に開設された挿入口２ａを開閉するドア部材３とを備えており、マガジン４が挿入口２ａに対して挿入／排出されるように構成されている。図示省略されているが、マガジン４内には複数のトレイが引き出し自在に設けられており、個々のトレイ上にはＣＤやＤＶＤ等の光記録方式または光磁気記録方式のディスクが載置されるようになっている。
【００１５】
筐体１の内部にはマガジン４の装填位置に対向する駆動ユニット７が収容されており、この駆動ユニット７はターンテーブルや光ピックアップ（いずれも図示省略）等を備えている。筐体１の外側面にはスライド板８が配設されており、このスライド板８を図示せぬモータを駆動源として筐体１の水平方向へ往復移動することにより、駆動ユニット７が筐体１の内部を上下方向へ移動するようになっている。筐体１の天板１ｃ前方には切欠き１ａが形成されており、この切欠き１ａは開放時のドア部材３を収納できる大きさに開口されている。また、筐体１の天板１ｃに一対の板ばね９がかしめピン６等によって固定されており、これら板ばね９の固定端は切欠き１ａの後方に位置し、この固定端から板ばね９の自由端側が切欠き１ａ内に突出している。板ばね９の自由端側には下方に向けて凸状に湾曲する押圧部９ａが形成されており、この押圧部９ａの先端にはノーズ部材２の背面に向かって延びる延出部９ｂが形成されている。
【００１６】
ドア部材３は挿入口２ａを閉塞できる大きさに形成されており、このドア部材３の上端はノーズ部材２の背面に回動可能に軸支されている。ノーズ部材２の背面とドア部材３にはトーションバネ１０が掛合されており、ドア部材３はこのトーションバネ１０の弾発力によって挿入口２ａを閉塞する方向へ弾性付勢されている。
【００１７】
このように概略構成されたディスクチェンジャでは、図２（Ａ）に示すマガジン４の未装填状態において、挿入口２ａはドア部材３によって閉塞されており、板ばね９の押圧部９ａは筐体１の天板１ｃに形成された切欠き１ａ内に露出し、この切欠き１ａから下方へ突出すると共に、延出部９ｂは切欠き１ａ内にほぼ水平な状態で突出している。
【００１８】
この状態でマガジン４を挿入口２ａから筐体１の内部に挿入すると、まず、マガジン４が閉塞状態にあるドア部材３をトーションバネ１０の弾性付勢力に抗して押圧するため、ドア部材３はマガジン４の挿入に伴って図２（Ａ）の反時計回り方向へ回転する。そして、ドア部材３が約９０度回転して筐体１の切欠き１ａ内に収納されると、図２（Ｂ）に示すように、ドア部材３の後端（図２（Ａ）では下端）が板ばね９の延出部９ｂの下方へもぐり込み、ドア部材３の背面と板ばね９の延出部９ｂとが平面的にオーバーラップした状態となる。すなわち、筐体１の切欠き１ａ内でドア部材３の背面に板ばね９の延出部９ｂが覆い被さるような位置関係となり、板ばね９の自由端とマガジン４の挿入経路との間にドア部材３が介在した状態になる。したがって、挿入途中のマガジン４の先端側が板ばね９の延出部９ｂに当接することはなく、前述した図６に示すように、マガジン４が斜め下方から筐体１内に挿入されたとしても、板ばね９の自由端である延出部９ｂがマガジン４によって破損されることはない。一方、板ばね９の押圧部９ａは切欠き１ａの下方へ突出してマガジンの天面（外面）に弾接し、マガジン４を筐体１内の所定位置まで挿入した時点で、マガジンの中心（重心）近傍が押圧部９ａによって下方へ弾性付勢される。
【００１９】
なお、マガジン４を筐体１内の所定位置まで挿入すると、駆動ユニット７が上下方向へ移動してマガジン４内のいずれかのトレイを引き出し、このトレイ上に載置されたディスクに対して情報の再生および／または記録が行われる。この場合、マガジン４内から選択されたトレイが駆動ユニット７に向けて引き出されると、引き出されたトレイ上のディスクがクランプ動作され、クランプ完了の直後に空のトレイがマガジン４内に戻される。そして、クランプされたディスクをターンテーブルで回転駆動すると共に、ディスクの半径方向へ光ピックアップを移送することにより、ディスクに対する情報の再生および／または記録が行われる。
【００２０】
上記した第１実施例に係るディスクチェンジャでは、マガジン４を挿入口２ａから筐体１内に挿入する過程で、マガジン４が閉塞状態にあるドア部材３をトーションバネ１０の弾性付勢力に抗して押圧すると、ドア部材３が回動しながら筐体の切欠き１ａ内に収納されて開放状態となる。そして、この切欠き１ａ内でドア部材３の背面に板ばね９の延出部９ｂが覆い被さるような位置関係になると共に、板ばね９の押圧部９ａが筐体１内に挿入されたマガジン４の天面に弾接するため、マガジン４を中心近傍で押圧付勢して音飛びやラットルノイズの原因となるピッチングモーメントの発生を抑制できると共に、マガジン４が斜め下方から筐体１内に挿入されたとしても、板ばね９がマガジン４によって破損されることを確実に防止することができる。
【００２１】
図３は本発明の第２実施例に係るディスクチェンジャの斜視図、図４は該ディスクチェンジャの要部断面図であり、図１と図２に対応する部分には同一符号を付してある。
【００２２】
本実施例が前述した第１実施例と相違する点は、板ばね９の延出部９ｂに押圧凸部９ｃを形成し、この押圧凸部９ｃを開放状態にあるドア部材３の背面に弾接させたことにあり、それ以外の構成は基本的に同じである。この押圧凸部９ｃは延出部９ｂの下面から突出しており、この押圧凸部９ｃの突出量は押圧部９ａの突出量に比べて充分に小さく設定されている。
【００２３】
このように構成されたディスクチェンジャにおいては、マガジン４を挿入口２ａから筐体１内に挿入する過程で、ドア部材３の背面に板ばね９の延出部９ｂが覆い被さるような位置関係になると、板ばね９の押圧凸部９ｃがドア部材３の背面に弾接するため、ドア部材３がトーションバネ１０の弾性復帰力と板ばね９の弾性力の両方よってマガジン４の天面に押圧付勢される。したがって、外部から上下方向の加速度が作用した時、マガジン４のみならずドア部材３の振動も抑制することができ、特にドア部材３が大型化された場合に懸念されるラットルノイズを確実に抑制することができる。また、押圧凸部９ｃがドア部材３の背面に弾接することによる押圧部９ａの付勢力の低下が考えられるが、板ばね９は押圧部９ａを屈曲点としてほぼ「く」字形状に形成されていることから、押圧部９ａに加わる弾性付勢力はかしめピン６からこの押圧部９ａまでのスパンによって決定され、延出部９ｂは押圧部９ａを支点として撓むものであるため、押圧凸部９ｃがドア部材３の背面に弾接した際の反力が押圧部９ａの弾性付勢力を低減する方向に働くことはほとんどなく、マガジン４の外面を充分な付勢力で押圧することができる。
【００２４】
なお、上記各実施例では、本発明による記録媒体駆動装置をディスクチェンジャに適用した場合について説明したが、マガジン（ケーシング）内にハードディスク（磁気ディスク）とその駆動装置を収納し、このマガジンを筐体内に挿入してコネクタ接続することでハードディスクに情報を記録、またはハードディスクに記録された情報を読み取る磁気記録媒体駆動装置にも適用可能である。
【００２５】
【発明の効果】
本発明は、以上説明したような形態で実施され、以下に記載されるような効果を奏する。
【００２６】
筐体に開放時のドア部材を収納する切欠きを形成すると共に、この切欠き内にマガジンの外面と弾接可能な押圧部を有する板ばねを突出させ、この板ばねの自由端に形成した延出部を開放時のドア部材の背面と平面的にオーバーラップさせるように構成したので、マガジンの挿入に伴ってドア部材が開放された際に、切欠き内でドア部材の背面に板ばねの延出部が覆い被さるような位置関係となり、マガジンが斜め下方から筐体内に挿入されたとしても、板ばねがマガジンによって破損されることを確実に防止することができる。また、板ばねの押圧部を筐体内の所定位置まで挿入されたマガジンの中心（重心）近傍に配置でき、したがって、マガジンを中心近傍で押圧付勢して音飛びやラットルノイズの原因となるピッチングモーメントの発生を抑制できる。
【図面の簡単な説明】
【図１】本発明の第１実施例に係るディスクチェンジャの斜視図である。
【図２】該ディスクチェンジャの要部断面図である。
【図３】本発明の第２実施例に係るディスクチェンジャの斜視図である。
【図４】該ディスクチェンジャの要部断面図である。
【図５】従来例に係るディスクチェンジャの要部断面図である。
【図６】該ディスクチェンジャの問題点を示す説明図である。
【図７】従来提案に係るディスクチェンジャの要部断面図である。
【符号の説明】
１  筐体
１ａ  切欠き
１ｃ  天板
２  ノーズ部材
２ａ  挿入口
３  ドア部材
４  マガジン
７  駆動ユニット
９  板ばね
９ａ  押圧部
９ｂ  延出部
９ｃ  押圧凸部
１０  トーションバネ
【図１】
0003779585.tif 000002
【図２】
0003779585.tif 000003
【図３】
0003779585.tif 000004
【図４】
0003779585.tif 000005
【図５】
0003779585.tif 000006
【図６】
0003779585.tif 000007
【図７】
0003779585.tif 000008